(57)【要約】      （修正有）【課題】構造が簡単でテープを切断し易く、テープが被覆されたテープカッター台を提供する。【解決手段】閉塞面と開口面を備え、閉塞面の中央に孔部を有する２つの本体構成ハウジングを着脱自在に嵌合し、ドーナツ形状の本体を形成する。本体内部の収納空間にテープを収納し、本体の外周面に開閉自在な窓を形成し、テープカッターを備えるカッター部を設ける。孔部の壁面の、本体構成ハウジングの開口面側に突出した位置決め壁が、テープの巻き取り芯に挿入される凹溝を円周に沿って形成する。【選択図】図１
0003156434.tif 000002
【実用新案登録請求の範囲】
【請求項１】
組み合わせて形成する本体と、該本体の外周上方端縁部に凹んで設けられたカッター部と、該カッター部の外側に設けられたカッター片と、本体内部に設けられたテープとを含んでなり、
該テープカッター台が対向する二つの対称な半円形の本体を互いに挿入して組み合わせて形成し、外周上方端縁部に凹んだカッター部を具えてなり、カッター片がテープカッター台の外側を完全に被覆して回動自在に設けられ、二つの半円形の本体の中央には孔が形成され、孔の外周縁部には内側方向にわずかに凸出した位置決めリングが設けられ、テープの中管の端縁面上の凹溝内に直接、挿接するために供し、テープがテープの一端を引き出し口から引き伸ばして回転してテープを外部に出す場合、適宜に手を触れて位置決めするように操作することができ、テープの長さ、及び切断時にテープを安定して切断できるように適宜に補助することができるとともに、テープを被覆して、安全に切断できる実用性を具える目的も達成する構造からなることを特徴とするテープカッター台。
【請求項２】
前記本体のカッター部が、凹んで下向きに形成された延伸板を具えてなり、該板体の上方の一端が溝に接続し、カッター片を回動自在に設けるために供することを特徴とする請求項１に記載のテープカッター台。
【請求項３】
前記半円形の本体の内側側面上には、それぞれ対向して凸出した挿入桿と管状の挿入溝とを設けてなり、簡単に挿設して組み合わせるために供することを特徴とする請求項1に記載のテープカッター台。
【請求項４】
前記テープの中管か、或いは本体が、色を変更して組み合わせることができることを特徴とする請求項１に記載のテープカッター台。
【請求項５】
前記延伸板が、表面が凸凹の粗い面に形成されることを特徴とする請求項２に記載のテープカッター台。
【請求項６】
前記本体のカッター部が、引き出し口の上方に設けられ、それぞれ係合部を設けてなり、カッター片の末端の凸部を設けるために供し、蓋をする場合に、係合して固定、位置決めすることができることを特徴とする請求項１に記載のテープカッター台。
【請求項７】
前記本体が、方形、円形、或いは異なる造形物の形状に形成することができることを特徴とする請求項１に記載のテープカッター台。
【考案の詳細な説明】
【技術分野】
【０００１】
この考案は、テープカッター台に関し、特にテープを設けて好みの長さにカットして使用することができるテープカッター台に関する。
【背景技術】
【０００２】
従来の携帯用のテープカッター台は通常、図５に開示するように、薄片の側面片２２を連体して形成された本体２１と、中間に接続して設けられた平板片２３とを含んでなる。
【０００３】
合わせるとＵ字状の外観を呈し、合わせて形成した中央の平板片２３の側面が平面に形成される。
【０００４】
平板片２３は一端に鋸の歯状のカッター片２４を接続して設ける。
【０００５】
対向する側面片２２の中央部分にはそれぞれ、凹凸の挿設ボタンが凸出して設けられ、軸桿２５を組み合わせる。
【０００６】
該軸桿２５は、テープ２０を直接穿設して挟持するために供し、回転の軸心となる。
【０００７】
テープ２０は片端を引き出した後、カッター片２４で切断する。
【０００８】
テープカッター台の本体２１の側面はそれぞれ何も被覆されていない開放された状態で設けられる。
【０００９】
テープを切断するカッターが設けられた凹設された弧状の側面も同様に、開放された状態で設けられる。
【００１０】
テープ２０は、完全に被覆されていないため、汚れる、或いは汚れがつき易くなり、使用上の衛生的な需要を満足させることができない。
【００１１】
特に、病院などで使用する場合、テープは衛生面での問題も考慮しなければならない。
【００１２】
また、切断用のカッター片２４のカッターの刃が外部に露出しているため、使用中に接触して傷をつくる、或いはカッターが損壊するなどが発生し易く、使用上の安全に問題がある。
【００１３】
実際の使用において衛生、安全などを考慮し、それを要求し、且つ実際にテープを引き出して切断するデザインでは、切断しようとするとその力を受け、テープがまだ適宜に固定して位置を制限されていない状態では、切断し難い。
【００１４】
よって、通常は切断に便利なように手指でテープ２０を抑えてなければならない。
【考案の開示】
【考案が解決しようとする課題】
【００１５】
この考案は、構造が簡単でテープを切断し易いテープカッター台を提供することを課題とする。
【００１６】
また、この考案は、テープが被覆されているテープカッター台を提供することを課題とする。
【課題を解決するための手段】
【００１７】
そこで、本考案者は従来の技術に見られる欠点に鑑みて鋭意研究を重ねた結果、組み合わせて形成する本体と、該本体の外周上方端縁部に凹んで設けられたカッター部と、該カッター部の外側に設けられたカッター片と、本体内部に設けられたテープとを含んでなり、
該テープカッター台が対向する二つの対称な半円形の本体を互いに挿入して組み合わせて形成し、外周上方端縁部に凹んだカッター部を具えてなり、カッター片がテープカッター台の外側を完全に被覆して回動自在に設けられ、二つの半円形の本体の中央には孔が形成され、孔の外周縁部には内側方向にわずかに凸出した位置決めリングが設けられ、テープの中管の端縁面上の凹溝内に直接、挿接するために供し、テープがテープの一端を引き出し口から引き伸ばして回転してテープを外部に出す場合、適宜に手を触れて位置決めするように操作することができ、テープの長さ、及び切断時にテープを安定して切断できるように適宜に補助することができるとともに、テープを被覆して、安全に切断できる実用性を具える目的も達成する構造からなるテープカッター台の構造によって課題を解決できる点に着眼し、かかる知見に基づいて本考案を完成させた。
【００１８】
以下、この考案について具体的に説明する。
請求項１に記載のテープカッター台は、組み合わせて形成する本体と、該本体の外周上方端縁部に凹んで設けられたカッター部と、該カッター部の外側に設けられたカッター片と、本体内部に設けられたテープとを含んでなり、
該テープカッター台が対向する二つの対称な半円形の本体を互いに挿入して組み合わせて形成し、外周上方端縁部に凹んだカッター部を具えてなり、カッター片がテープカッター台の外側を完全に被覆して回動自在に設けられ、二つの半円形の本体の中央には孔が形成され、孔の外周縁部には内側方向にわずかに凸出した位置決めリングが設けられ、テープの中管の端縁面上の凹溝内に直接、挿接するために供し、テープがテープの一端を引き出し口から引き伸ばして回転してテープを外部に出す場合、適宜に手を触れて位置決めするように操作することができ、テープの長さ、及び切断時にテープを安定して切断できるように適宜に補助することができるとともに、テープを被覆して、安全に切断できる実用性を具える目的も達成する構造からなる。
【００１９】
請求項２に記載のテープカッター台は、請求項１における本体のカッター部が、凹んで下向きに形成された延伸板を具えてなり、該板体の上方の一端が溝に接続し、カッター片を回動自在に設けるために供する。
【００２０】
請求項３に記載のテープカッター台は、請求項１における半円形の本体の内側側面上には、それぞれ対向して凸出した挿入桿と管状の挿入溝とを設けてなり、簡単に挿設して組み合わせるために供する。
【００２１】
請求項４に記載のテープカッター台は、請求項１におけるテープの中管か、或いは本体が、色を変更して組み合わせることができる。
【００２２】
請求項５に記載のテープカッター台は、請求項２における延伸板が、表面が凸凹の粗い面に形成される。
【００２３】
請求項６に記載のテープカッター台は、請求項１における本体のカッター部が、引き出し口の上方に設けられ、それぞれ係合部を設けてなり、カッター片の末端の凸部を設けるために供し、蓋をする場合に、係合して固定、位置決めすることができる。
【００２４】
請求項７に記載のテープカッター台は、請求項１における本体が、方形、円形、或いは異なる造形物の形状に形成することができる。
【考案の効果】
【００２５】
この考案によるテープカッター台は、生産コストを抑えるとともに、汚れがつき難いという効果を有する。
【考案を実施するための最良の形態】
【００２６】
この考案は、構造が簡単でテープを切断し易く、テープが被覆されたテープカッター台であって、組み合わせて形成する本体と、該本体の外周上方端縁部に凹んで設けられたカッター部と、該カッター部の外側に設けられたカッター片と、本体内部に設けられたテープとを含んでなり、
該テープカッター台が対向する二つの対称な半円形の本体を互いに挿入して組み合わせて形成し、外周上方端縁部に凹んだカッター部を具えてなり、カッター片がテープカッター台の外側を完全に被覆して回動自在に設けられ、二つの半円形の本体の中央には孔が形成され、孔の外周縁部には内側方向にわずかに凸出した位置決めリングが設けられ、テープの中管の端縁面上の凹溝内に直接、挿接するために供し、テープがテープの一端を引き出し口から引き伸ばして回転してテープを外部に出す場合、適宜に手を触れて位置決めするように操作することができ、テープの長さ、及び切断時にテープを安定して切断できるように適宜に補助することができるとともに、テープを被覆して、安全に切断できる実用性を具える目的も達成する構造からなるテープカッター台の構造と特徴を詳述するために具体的な実施例を挙げ、図示を参照にして以下に説明する。
【実施例】
【００２７】
図１から図４は、この考案のテープカッター台を示した説明図である。
【００２８】
図面によれば、テープカッター台は、対向する二つの半円形の本体１０を互いに組み合わせて形成する。
【００２９】
一方の本体１０は、内側に複数の凸出した位置決め挿入桿１１を具えてなり、他方の本体１０に凸出して設けられた管状の挿入溝（図示しない）と互いに挿設するために供する。
【００３０】
対向するテープカッター台の半円形の本体１０は、外側の両側面の互いに接続する側面上に凸凹が交互に形成されたフレーム１２を設けてなり、挿設して組み合わせた本体１０の外観を美しくする。
【００３１】
本体１０の端縁部にはわずかに凹んだカッター部１３が設けられる。
【００３２】
強固な構造とテープを延伸してその一部を予め残しておけるようにカッター部１３の底辺に凹んで下向きに凸凹した粗い面の延伸板１４を設ける。
【００３３】
該延伸板１４は、一端縁部にテープの引き出し口１５が設けられ、本体１と接続する他端上方には、凹入した溝１６が設けられ、本体１０の外観と同様の側面を具えたカッター片１７を回動自在に設けるために供する。
【００３４】
カッター片１７の一端の軸が直接溝１６内に回動自在に設けられ、軸の回転で開く、或いは閉じて係合させることができる。
【００３５】
本体１０はテープ引き出し口１５の両側上方にそれぞれ係合部１８を設ける。該係合部１８は、カッター片１７の端縁部両側に対向し、凸出して設けられた凸部１７１を設けて簡単に固定するために供する。
【００３６】
よって、カッター片１７の末端のわずかに凹んだカッター１７２が本体１０のフレーム内に安全に収めることができ、外側に露出していて接触時に傷を受けるなどを防ぎ、使用時の安全性に対する需要を満足させることができる。
【００３７】
本体１０の中央には孔が形成され、該孔の外周縁部には内側方向に凸出したフレーム状の位置決めリング１９が設けられ、テープ３０を組み合わせる場合に、位置決めリング１９を直接テープ３０の中管３１の端縁面上の凹溝３２内に挿接して、テープ３０を回動自在に設けることができる。
【００３８】
中管３１の内側端縁は自然に凸出して本体１０の中央の孔の外側に組み合わせて設けられる。
【００３９】
テープ３０を外側に引き出して使用する場合、中管３１の回転が外側から簡単に確認することができるため、使用者は切断時に手でわずかに接触するだけで適宜な位置に位置決めすることができ便利で、テープを切断して取り出す場合にも安定し、切り口もきれいである。
【００４０】
テープカッター台は、テープ３０を回転して引き伸ばす場合、適宜に回転させて定位置で操作することができるため、テープカッター台の安全性と実用性とが一致し、携帯用のテープカッター台の実用的な製品を製造することができる。
【００４１】
この考案のテープカッター台１０の最大の特徴は、テープ３０を回動自在に組み合わせ、本体１０内部に凸出した位置決めリング１９を直接、テープ３０を巻いて被覆した中管３１の外周に挿設し、中管の一部が本体１０の外側に露出することである。
【００４２】
成形時に材料の色彩の変更に合わせてテープカッター台をさらにカラフルに変更できる柔軟性を具えているため、視覚的な美観の変化の柔軟性を有効に高めることができる。
【００４３】
特に、中管３１はテープが引き伸ばされると回転するため、視覚的に確認するために便利で、テープを引き伸ばす速度や長さを有効に制御するために便利で適宜に位置決めを補助することができ、テープを安定、確実に切断することができる。
【００４４】
カッター片１７は、安全に本体１０の外観に固定して貼着して収納されるため、テープカッター台の外観を美しく造形的にすることができる。
【００４５】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４６】
【図１】この考案のテープカッター台を示した分解図である。
【図２】この考案のテープカッター台を組み合わせた状態を示した斜視図である。
【図３】この考案のテープカッター台を組み合わせた状態を別の角度から示した斜視図である。
【図４】この考案のテープカッター台のテープを引き出し、切断位置決め補助の状態を示した説明図である。
【図５】従来のテープカッター台を示した斜視図である。
【符号の説明】
【００４７】
１０               本体
１１               挿入桿
１２               フレーム
１３               カッター部
１４               延伸板
１５               引き出し口
１６               溝
１７               カッター片
１７１              凸部
１７２              カッター
１８               係合部
１９               位置決めリング
２０               テープ
２１               本体
２２               側面板
２３               平板片
２４               カッター片
２５               軸桿
３０               テープ
３１               中管
３２               凹溝
【図１】
0003156434.tif 000003
【図２】
0003156434.tif 000004
【図３】
0003156434.tif 000005
【図４】
0003156434.tif 000006
【図５】
0003156434.tif 000007
【手続補正書】
【提出日】平成21年10月27日(2009.10.27)
【手続補正１】
【補正対象書類名】実用新案登録請求の範囲
【補正対象項目名】全文
【補正方法】変更
【補正の内容】
【実用新案登録請求の範囲】
【請求項１】
閉塞面と開口面とを具え、内部に収納空間を有し、かつ該閉塞面の中央に孔部が形成された２つの本体構成ハウジングを着脱自在に嵌合して、ドーナッツ形状の本体を形成し、
該本体内部の収納空間に環状の巻き取り芯に巻き取ったロール状を呈するテープを収納するとともに、該本体の外周面に該テープの一端を引き出す窓を形成し、
該窓を自在に開閉するとともに、テープカッターを具えるカッター部を該本体に設けてなるテープカッター台であって、
該本体構成ハウジングの閉塞面の中央の位置に形成される該孔部の壁面は、該本体構成ハウジングの開口面側に向かって延伸して凸出した環状の位置決め壁を形成し、
該巻き取り芯の両端面には、該位置決め壁が挿入される凹溝それぞれを円周に沿って形成し、
該巻き取り芯の凹溝に該位置決め壁の一端を挿入して、該巻取り芯を回動自在に支持することを特徴とするテープカッター台。
【請求項２】
前記本体構成ハウジングの外周面には、該テープの一端を引き出す窓を構成する切り欠き部を形成し、
一方の該本体構成ハウジングの該切り欠き部内に補強板を設け、
該補強板は、一端に該本体内に収納した該テープの一端を引き出すためのテープ引き出し窓を形成するとともに、他端には凹状の支持溝を形成し、
該カッター部の一端に支持軸を形成し、該支持軸を該補強板の支持溝で支持して該カッター部が該テープの一端を引き出す窓を自在に開閉するように設け、
該カッター部の他端は、短手方向の両端縁部に係合突起をそれぞれ形成するとともに、該両係合突起の間に該テープカッターを該係合突起の高さよりやや低くなるように設け、該本体構成ハウジングの該係合突起に対応する位置には、該係合突起が係合する係合溝を形成することを特徴とする請求項１に記載のテープカッター台。
【請求項３】
前記本体構成ハウジングの一方には、内側に、内周面に沿って複数の凸出した位置決め柱を一体に形成し、他方の本体構成ハウジングの内側には、複数の該位置決め柱に対応する位置に、該位置決め柱が挿入される溝が形成された突起部を、それぞれ一体に形成することを特徴とする請求項１に記載のテープカッター台。
【請求項４】
前記補強板の外方向に向かった面に凹凸模様を形成することを特徴とする請求項２に記載のテープカッター台。
【請求項５】
前記本体が、円形か、矩形か、もしくはその他形状に形成されることを特徴とする請求項１に記載のテープカッター台。
【手続補正２】
【補正対象書類名】明細書
【補正対象項目名】全文
【補正方法】変更
【補正の内容】
【考案の詳細な説明】
【技術分野】
【０００１】
この考案は、テープカッター台に関し、特にテープを設けて好みの長さにカットして使用することができるテープカッター台に関する。
【背景技術】
【０００２】
従来の携帯用のテープカッター台は通常、図５に開示するように、薄片の側面片２２を連体して形成された本体２１と、中間に接続して設けられた平板片２３とを含んでなる。
【０００３】
合わせるとＵ字状の外観を呈し、合わせて形成した中央の平板片２３の側面が平面に形成される。
【０００４】
平板片２３は一端に鋸の歯状のカッター片２４を接続して設ける。
【０００５】
対向する側面片２２の中央部分にはそれぞれ、凹凸の挿設ボタンが凸出して設けられ、軸桿２５を組み合わせる。
【０００６】
該軸桿２５は、テープ２０を直接穿設して挟持するために供し、回転の軸心となる。
【０００７】
テープ２０は片端を引き出した後、カッター片２４で切断する。
【０００８】
テープカッター台の本体２１の側面はそれぞれ何も被覆されていない開放された状態で設けられる。
【０００９】
テープを切断するカッターが設けられた凹設された弧状の側面も同様に、開放された状態で設けられる。
【００１０】
テープ２０は、完全に被覆されていないため、汚れる、或いは汚れがつき易くなり、使用上の衛生的な需要を満足させることができない。
【００１１】
特に、病院などで使用する場合、テープは衛生面での問題も考慮しなければならない。
【００１２】
また、切断用のカッター片２４のカッターの刃が外部に露出しているため、使用中に接触して傷をつくる、或いはカッターが損壊するなどが発生し易く、使用上の安全に問題がある。
【００１３】
実際の使用において衛生、安全などを考慮し、それを要求し、且つ実際にテープを引き出して切断するデザインでは、切断しようとするとその力を受け、テープがまだ適宜に固定して位置を制限されていない状態では、切断し難い。
【００１４】
よって、通常は切断に便利なように手指でテープ２０を抑えてなければならない。
【考案の開示】
【考案が解決しようとする課題】
【００１５】
この考案は、構造が簡単でテープを切断し易いテープカッター台を提供することを課題とする。
【００１６】
また、この考案は、カッターによって指などを傷つけることのない安全なテープカッター台を提供することを課題とする。
【課題を解決するための手段】
【００１７】
そこで、本考案者は従来の技術に見られる欠点に鑑みて鋭意研究を重ねた結果、  閉塞面と開口面とを具え、内部に収納空間を有し、かつ該閉塞面の中央に孔部が形成された２つの本体構成ハウジングを着脱自在に嵌合して、ドーナッツ形状の本体を形成し、
該本体内部の収納空間に環状の巻き取り芯に巻き取ったロール状を呈するテープを収納するとともに、該本体の外周面に該テープの一端を引き出す窓を形成し、
該窓を自在に開閉するとともに、テープカッターを具えるカッター部を該本体に設けてなるテープカッター台であって、
該本体構成ハウジングの閉塞面の中央の位置に形成される該孔部の壁面は、該本体構成ハウジングの開口面側に向かって延伸して凸出した環状の位置決め壁を形成し、
該巻き取り芯の両端面には、該位置決め壁が挿入される凹溝それぞれを円周に沿って形成し、
該巻き取り芯の凹溝に該位置決め壁の一端を挿入して、該巻取り芯を回動自在に支持してなるテープカッター台の構造によって課題を解決できる点に着眼し、かかる知見に基づいて本考案を完成させた。
【００１８】
以下、この考案について具体的に説明する。
請求項１に記載のテープカッター台は、閉塞面と開口面とを具え、内部に収納空間を有し、かつ該閉塞面の中央に孔部が形成された２つの本体構成ハウジングを着脱自在に嵌合して、ドーナッツ形状の本体を形成し、
該本体内部の収納空間に環状の巻き取り芯に巻き取ったロール状を呈するテープを収納するとともに、該本体の外周面に該テープの一端を引き出す窓を形成し、
該窓を自在に開閉するとともに、テープカッターを具えるカッター部を該本体に設けてなるテープカッター台であって、
該本体構成ハウジングの閉塞面の中央の位置に形成される該孔部の壁面は、該本体構成ハウジングの開口面側に向かって延伸して凸出した環状の位置決め壁を形成し、
該巻き取り芯の両端面には、該位置決め壁が挿入される凹溝それぞれを円周に沿って形成し、
該巻き取り芯の凹溝に該位置決め壁の一端を挿入して、該巻取り芯を回動自在に支持する。
【００１９】
請求項２に記載のテープカッター台は、請求項１における前記本体構成ハウジングの外周面には、該テープの一端を引き出す窓を構成する切り欠き部を形成し、
一方の該本体構成ハウジングの該切り欠き部内に補強板を設け、
該補強板は、一端に該本体内に収納した該テープの一端を引き出すためのテープ引き出し窓を形成するとともに、他端には凹状の支持溝を形成し、
該カッター部の一端に支持軸を形成し、該支持軸を該補強板の支持溝で支持して該カッター部が該テープの一端を引き出す窓を自在に開閉するように設け、
該カッター部の他端は、短手方向の両端縁部に係合突起をそれぞれ形成するとともに、該両係合突起の間に該テープカッターを該係合突起の高さよりやや低くなるように設け、該本体構成ハウジングの該係合突起に対応する位置には、該係合突起が係合する係合溝を形成する。
【００２０】
請求項３に記載のテープカッター台は、請求項１における本体構成ハウジングの一方には、内側に、内周面に沿って複数の凸出した位置決め柱を一体に形成し、他方の本体構成ハウジングの内側には、複数の該位置決め柱に対応する位置に、該位置決め柱が挿入される溝が形成された突起部を、それぞれ一体に形成する。
【００２１】
請求項５に記載のテープカッター台は、請求項２における補強板の外方向に向かった面に凹凸模様を形成する。
【００２２】
請求項７に記載のテープカッター台は、請求項１における本体が、円形か、矩形か、もしくはその他形状に形成される。
【考案の効果】
【００２３】
この考案によるテープカッター台は、テープを引き出して切断する場合の操作性に優れ、かつ安全であることから、使用上の利便性と実用性を高めるという利点を有するとともに、簡易な構造を有することから生産コストを抑えるという利点を有する。
【考案を実施するための最良の形態】
【００２４】
この考案は、テープを引き出して切断する場合の操作性に優れ、かつ安全なテープカッター台を提供するものであって、閉塞面と開口面とを具え、内部に収納空間を有し、かつ該閉塞面の中央に孔部が形成された２つの本体構成ハウジングを着脱自在に嵌合して、ドーナッツ形状の本体を形成し、該本体内部の収納空間に環状の巻き取り芯に巻き取ったロール状を呈するテープを収納するとともに、該本体の外周面に該テープの一端を引き出す窓を形成し、該窓を自在に開閉するとともに、テープカッターを具えるカッター部を該本体に設ける。かかるテープカッター台の構造と特徴を説明するために、具体的な実施例を挙げ、図面を参照にして以下に説明する。
【００２５】
図１から図４は、この考案のテープカッター台を示した説明図である。
【００２６】
図１に開示するように、この考案によるテープカッター台は、閉塞面と開口面とを具え、内部にテープ３０を収納する収納空間を有し、かつ該閉塞面の中央に孔部が形成された２つの本体構成ハウジング１０を着脱自在に嵌合して、ドーナッツ形状の本体を形成する。
【００２７】
一方の本体構成ハウジング１０は、内側に、内周面に沿って複数の凸出した位置決め柱１１を一体に形成し、他方の本体構成ハウジング１０の内側には、複数の位置決め柱１１に対応する位置に、位置決め柱１１が挿入される溝が形成された突起部（図示しない）を、それぞれ一体に形成する。
【００２８】
また、一方の本体構成ハウジング１０開口面の周縁部には、凸出した周縁嵌合部１２を一体に形成し、他方の本体構成ハウジング１０の開口面の周縁部には、凹状の周縁嵌合部１２を一体に形成し、凸状と凹状の両周縁嵌合部１２を嵌合させて、２つの本体構成ハウジング１０を嵌合する。この場合、２つの本体構成ハウジング１０の外周面が段差なく連結するようにする。
【００２９】
２つの本体構成ハウジング１０を嵌合して形成するドーナッツ形状の本体の外周面には、内部に収納したテープ３０の一端を外部に出すための窓を形成する。即ち、それぞれの本体構成ハウジング１０の外周面には、対応する位置に切り欠き部１３を形成する。
【００３０】
また、一方の本体構成ハウジング１０の切り欠き部１３内には補強板１４を設ける。補強板１４の外方向に向かった面には凹凸模様を形成し、テープ１３の一端が一時的に付着して止まるようにする。
【００３１】
さらに、補強板１４の一端には、収納したテープ３０の一端を引き出すためのテープ引き出し窓１５を形成するとともに、他端には凹状の支持溝１６を形成する。また、一端に支持軸を形成したカッター部１７を体構成ハウジング１０の切り欠き部１３に設ける。
【００３２】
即ち、カッター部１７の一端に形成した支持軸を補強板１４の一端に形成した支持溝１６に嵌挿して軸支する。よって、カッター部１７は、２つの本体構成ハウジング１０の切り欠き部１３によって形成されるテープ３０の一端を外部に出すための窓を自在に開閉することができる。カッター部１７の外面の形状は、本体構成ハウジング１０の切り欠き部１３によって形成されるテープ３０の一端を外部に出すための窓を閉じた状態において、本体構成ハウジング１０と一体となって一つの形状を呈する形状にする。
【００３３】
カッター部１７の他端は、短手方向の両端縁部に係合突起１７１をそれぞれ形成するとともに、両係合突起１７１の間にテープカッター１７２を設ける。テープカッター１７２は、係合突起１７１の高さよりやや低くする。また、両本体構成ハウジング１０の係合突起１７１に対応する位置には、係合突起１７１が係合する係合溝１８を形成する。
【００３４】
よって、２つの本体構成ハウジング１０の切り欠き部１３によって形成されるテープ３０の一端を外部に出すための窓を閉じた場合、カッター部１７のテープカッター１７２がテープ３０の一端を外部に出すための該窓内に収納される。このため、テープカッター１７２が外部に露出することがなく、安全である。
【００３５】
本体構成ハウジング１０の閉塞面の中央の位置に形成される孔部の壁面は、本体構成ハウジング１０の開口面側に向かって延伸し、凸出した環状の位置決め壁１９を形成する。テープ３０は、環状の巻き取り芯３１に巻き取ったロール状を呈する。巻き取り芯３１の両端面には円周に沿って凹溝３２を形成する。環状の巻き取り芯３１に巻き取りロール状を呈したテープ３０を、２つの本体構成ハウジング１０を嵌合して構成したドーナッツ形状の本体内に設ける場合は、本体構成ハウジング１０の位置決め壁１９を巻き取り芯３１の凹溝３２に挿入し、テープ３０を回動自在に支持する。
【００３６】
環状の巻き取り芯３１に巻き取りロール状を呈したテープ３０を、２つの本体構成ハウジング１０を嵌合して構成したドーナッツ形状の本体内に設けた場合、巻き取り芯３２の凹溝３２から内側の部分が、本体構成ハウジング１０の中央の孔部内に位置する。
【００３７】
環状の巻き取り芯３１に巻き取りロール状を呈したテープ３０を、２つの本体構成ハウジング１０を嵌合して構成したドーナッツ形状の本体内に設け、テープ３０の一端を、補強板１４の一端に形成したテープ引き出し窓１５から引き出すと、テープ３０を巻き取った巻き取り芯３１が回転し、本体構成ハウジング１０の中央の孔部から巻き取り芯３１の回転を確認することができる。また、テープ３０を必要とする長さだけ引き出した場合、本体構成ハウジング１０の中央の孔部内に位置する巻き取り芯３２の凹溝３２から内側の部分を指先で押し圧することによって、巻き取り芯３２の回転を止めることができる。したがって、巻き取り芯３２の回転を制御して、テープ３０を必要とする長さだけ取り出す操作を容易に行なうことができる。さらに、巻き取り芯３２を指先で押さえて、テープ３０の一端を引っ張りながらテープカッター１７２でテープ３０を切断するため、テープ３０が緊張した状態で切断することができ、切り口が真っ直ぐになる。
【００３８】
また、巻き取り芯３２の回転を制御する適宜な手段を設けて、指先で巻き取り芯３２の回転を制御する以外に、かかる回転制御手段によってでも巻き取り芯３２の回転を制御することができるようにしてもよい。この場合は、さらに実用性を高めることができる。
【００３９】
この考案によるテープカッター台は、テープ３０をドーナッツ状の本体内に収納し、回動自在にした場合、テープ３０を巻き取った環状の巻き取り芯３２の内壁が露出することに特徴がある。
【００４０】
また、この考案によれば、成形材料を様々な色彩に着色することによって、カラフルなテープカッター台を提供することができる。また、本体の形状を円形以外に矩形、もしくはその他形状に変更して、視覚上の美観を得るための設計上の要求に、柔軟性に対応することができる。
【００４１】
また、この考案によるテープカッター台を使用する場合、テープ３０の一端を引き出すと、巻き取り芯３２の回転を視覚で確認することができ、指先で押し圧することによって、テープ３０を引き出す長さ、速度を効率よく制御することができ、かつ確実にテープ３０を切断することができる。よって、使用上の操作性に優れ、好ましい実用性を有する。
【００４２】
さらに、テープカッター１７２が安全に収納され、カッター部１７の外面の形状は、本体構成ハウジング１０の切り欠き部１３によって形成されるテープ３０の一端を外部に出すための窓を閉じた状態において、本体構成ハウジング１０と一体となって一つの形状を呈する形状にする。このため、外観の視覚的な美観が得られデザインを施すことができる。
【００４３】
以上は、この考案の好ましい実施例であって、この考案の実施の範囲を限定するものではない。よって、当業者のなし得る修正、もしくは変更であって、この考案の精神の下においてなされ、この考案に対して均等の効果を有するものは、いずれもこの考案の実用新案登録請求の範囲に属するものとする。
【図面の簡単な説明】
【００４４】
【図１】この考案のテープカッター台を示した分解図である。
【図２】この考案のテープカッター台の外観を示した斜視図である。
【図３】この考案のテープカッター台の外観を別の角度から示した斜視図である。
【図４】この考案のテープカッター台において、テープを引き出して切断する動作を示した説明図である。
【図５】従来のテープカッター台を示した斜視図である。
【符号の説明】
【００４５】
１０ 本体構成ハウジング
１１ 位置決め柱
１２ 周縁嵌合部
１３ テープ
１４ 補強板
１５ テープ引き出し窓
１６ 支持溝
１７ カッター部
１７１ 係合突起
１７２ テープカッター
１８ 係合溝
１９ 位置決め壁
２０ テープ
２１ 本体
２２ 側面板
２３ 平板片
２４ カッター片
２５ 軸桿
３０ テープ
３１ 巻き取り芯
３２ 凹溝